(57)【要約】      （修正有）【課題】現在あるいは毎日、毎月の混練状況、鋳物砂、樹脂および硬化剤の使用量および費用について表示して作業者・管理者がこれらを把握・確認・管理できる装置を提供する。【解決手段】記憶手段２１からのデータの読取りと、鋳物砂投入量計測手段２２、樹脂添加量計測手段１７および硬化剤添加量計測手段１８からの情報の入力に基づき、第１算出手段２３により鋳物砂に関する連続式混練機１への投入量と混練時間と投入量に基づく金額を、第２算出手段２４により樹脂に関する連続式混練機１への添加量と、添加量と鋳物砂の割合と、添加量に基づく金額を、そして、第３算出手段２５により硬化剤に関する連続式混練機１への添加量と、樹脂量との割合と、添加量に基づく金額をそれぞれ計量・計算した後、その結果を表示手段２６によって表示する。【選択図】図１
2005125338.tif 000002
【特許請求の範囲】
【請求項１】
鋳物砂、樹脂および硬化剤を連続的に混練して自硬性鋳物砂を製造する連続式混練機において、前記鋳物砂・樹脂・硬化剤を管理すべくこれらの使用量・添加量、費用および相互割合についてそれぞれ計測・算出しかつ表示する装置であって、
前記鋳物砂、樹脂および硬化剤に関する使用量、費用および相互割合についてそれぞれ算出するのに必要なデータを記憶する記憶手段と；
前記連続式混練機への鋳物砂の投入量を計測する鋳物砂投入量計測手段と；
前記連続式混練機への樹脂の添加量を計測する樹脂添加量計測手段と；
前記連続式混練機への硬化剤の添加量を計測する硬化剤添加量計測手段と；
前記記憶手段からのデータの読取りと前記鋳物砂投入量計測手段からの情報の入力に基づき前記連続式混練機における鋳物砂の混練時間と費用をそれぞれ算出する第１算出手段と；
前記記憶手段からのデータの読取りと前記樹脂添加量計測手段からの情報の入力に基づき前記連続式混練機における前記樹脂と前記鋳物砂の相互割合と、費用をそれぞれ算出する第２算出手段と；
前記記憶手段からのデータの読取りと前記硬化剤添加量計測手段からの情報の入力に基づき前記連続式混練機における前記樹脂と前記硬化剤の相互割合と、費用をそれぞれ算出する第３算出手段と；
前記第１〜第３算出手段による算出結果をそれぞれ表示する表示手段と；
を備えたことを特徴とする連続式混練機の管理装置。
【請求項２】
請求項１に記載の連続式混練機の管理装置において、
毎日および／または毎月における前記鋳物砂・樹脂・硬化剤に関する使用量・添加量、費用および相互割合をついてそれぞれ計測・算出することを特徴とする連続式混練機の管理装置。
【発明の詳細な説明】
【技術分野】
【０００１】
本発明は、連続式混練機の管理装置に係り、より詳しくは、鋳物砂、樹脂および硬化剤を連続的に混練して自硬性鋳物砂を製造する連続式混練機において前記鋳物砂・樹脂・硬化剤を管理すべくこれらの使用量、費用および相互割合についてそれぞれ計測・算出しかつ表示する連続式混練機の管理装置に関する。      
【背景技術】
【０００２】
従来、上述した連続式混練機の一つとして、鋳物砂に添加される樹脂、硬化剤等の添加剤をそれぞれ流量計で計量して、実際に添加された量が設定値を逸脱した場合には異常として発信するようにものがある（例えば、特許文献１）。
【特許文献１】特開平１１−５７９３２号公報
【０００３】
しかし、このように構成された従来の連続式混練機では、現在あるいは毎日、毎月における混練状況、鋳物砂、樹脂および硬化剤の使用量や、これらの費用について表示して作業者・管理者がこれらを容易に把握・確認・管理できるようにした装置はまだ無く、そのため、この種の業界からそのための装置の出現が強く要望されていた。
【発明の開示】
【発明が解決しようとする課題】
【０００４】
本発明は上記の事情に鑑みてなされたもので、その目的は、現在あるいは毎日、毎月における混練状況、鋳物砂、樹脂および硬化剤の使用量や、これらの費用について表示して作業者・管理者がこれらを容易に把握・確認・管理できる装置を提供することにある。 
【課題を解決するための手段】
【０００５】
上記の目的を達成するために本発明における連続式混練機の管理装置は、鋳物砂、樹脂および硬化剤を連続的に混練して自硬性鋳物砂を製造する連続式混練機において、前記鋳物砂・樹脂・硬化剤を管理すべくこれらの使用量・添加量、費用および相互割合についてそれぞれ計測・算出しかつ表示する装置であって、前記鋳物砂、樹脂および硬化剤に関する使用量、費用および相互割合についてそれぞれ算出するのに必要なデータを記憶する記憶手段と；前記連続式混練機への鋳物砂の投入量を計測する鋳物砂投入量計測手段と；前記連続式混練機への樹脂の添加量を計測する樹脂添加量計測手段と；前記連続式混練機への硬化剤の添加量を計測する硬化剤添加量計測手段と；前記記憶手段からのデータの読取りと前記鋳物砂投入量計測手段からの情報の入力に基づき前記連続式混練機における鋳物砂の混練時間と費用をそれぞれ算出する第１算出手段と；前記記憶手段からのデータの読取りと前記樹脂添加量計測手段からの情報の入力に基づき前記連続式混練機における前記樹脂と前記鋳物砂の相互割合と、費用をそれぞれ算出する第２算出手段と；前記記憶手段からのデータの読取りと前記硬化剤添加量計測手段からの情報の入力に基づき前記連続式混練機における前記樹脂と前記硬化剤の相互割合と、費用をそれぞれ算出する第３算出手段と；前記第１〜第３算出手段による算出結果をそれぞれ表示する表示手段と；を備えたことを特徴とする。
【０００６】
このように構成されたものは、記憶手段からのデータの読取りと、鋳物砂投入量計測手段、樹脂添加量計測手段および硬化剤添加量計測手段からの情報の入力に基づき、第１算出手段により鋳物砂に関する連続式混練機への投入量と混練時間と投入量に基づく金額を、第２算出手段により樹脂に関する連続式混練機への添加量と、添加量と鋳物砂の割合と、添加量に基づく金額を、そして、第３算出手段により硬化剤に関する連続式混練機への添加量と、樹脂量との割合と、添加量に基づく金額をそれぞれ計量・計算した後、その結果を表示手段によって表示する。
【発明の効果】
【０００７】
以上の説明から明らかなように本発明は、鋳物砂、樹脂および硬化剤を連続的に混練して自硬性鋳物砂を製造する連続式混練機において前記鋳物砂・樹脂・硬化剤を管理すべくこれらの使用量、費用および相互割合についてそれぞれ計測・算出しかつ表示する装置であって、鋳物砂、樹脂および硬化剤を連続的に混練して自硬性鋳物砂を製造する連続式混練機において、前記鋳物砂・樹脂・硬化剤を管理すべくこれらの使用量・添加量、費用および相互割合についてそれぞれ計測・算出しかつ表示する装置であって、前記鋳物砂、樹脂および硬化剤に関する使用量、費用および相互割合についてそれぞれ算出するのに必要なデータを記憶する記憶手段と；前記連続式混練機への鋳物砂の投入量を計測する鋳物砂投入量計測手段と；前記連続式混練機への樹脂の添加量を計測する樹脂添加量計測手段と；前記連続式混練機への硬化剤の添加量を計測する硬化剤添加量計測手段と；前記記憶手段からのデータの読取りと前記鋳物砂投入量計測手段からの情報の入力に基づき前記連続式混練機における鋳物砂の混練時間と費用をそれぞれ算出する第１算出手段と；前記記憶手段からのデータの読取りと前記樹脂添加量計測手段からの情報の入力に基づき前記連続式混練機における前記樹脂と前記鋳物砂の相互割合と、費用をそれぞれ算出する第２算出手段と；前記記憶手段からのデータの読取りと前記硬化剤添加量計測手段からの情報の入力に基づき前記連続式混練機における前記樹脂と前記硬化剤の相互割合と、費用をそれぞれ算出する第３算出手段と；前記第１〜第３算出手段による算出結果をそれぞれ表示する表示手段と；を備えたから、現在あるいは毎日、毎月における混練状況、鋳物砂、樹脂および硬化剤の使用量や、これらの費用について表示して作業者・管理者がこれらについて容易かつ適確に把握・確認・管理できるなどの優れた実用的効果を奏する。 
【発明を実施するための最良の形態】
【０００８】
以下、本発明を適用して鋳物砂を連続的に混練する設備の一実施例について図１〜図３に基づき詳細に説明する。本設備は、図２に示すように、連続式混練機１と、この連続式混練機１を制御する制御盤２と、前記連続式混練機１を管理する管理装置３とで構成してある。そして、前記連続式混練機１は、トラフ４内に混練羽根（図示せず）を回転可能に設けた混練機本体５と、混練機本体５にホッパ６内の鋳物砂を搬送する搬送装置７と、前記ホッパ６の排出口と前記搬送装置７の搬入口の間に配設されたゲート式開閉装置８とで構成してある。また、前記混練機本体５には樹脂添加機構９と二組の硬化剤添加機構１０・１０が装着してあり、これら樹脂添加機構９と二組の硬化剤添加機構１０・１０においては、それぞれポンプ（図示せず）から吐出された樹脂・硬化剤が配管１１〜１３の途中に設けた開閉バルブ１４〜１６および第１・第２流量計１７・１８を順次通過して前記混練機本体１の前記トラフ４内に添加されるようになっている。
【０００９】
また、前記管理装置３は、図１に示すように、前記鋳物砂、樹脂および硬化剤の使用量、費用と、鋳物砂、樹脂および硬化剤の相互割合についてそれぞれ算出するのに必要なデータを記憶する記憶手段２１と；前記連続式混練機１への鋳物砂の投入量を計測する鋳物砂投入量計測手段２２と；前記連続式混練機１への樹脂の添加量を計測する樹脂添加量計測手段としての前記第１流量計１７と；前記連続式混練機１への硬化剤の添加量を計測する硬化剤添加量計測手段としての前記二組の第２流量計１８・１８と；前記記憶手段２１からのデータの読取りと前記鋳物砂投入量計測手段２２からの情報の入力に基づき前記連続式混練機１における鋳物砂の混練時間と費用をそれぞれ算出する第１算出手段２３と；前記記憶手段２１からのデータの読取りと前記第１流量計１７からの情報の入力に基づき前記連続式混練機１における前記樹脂と前記鋳物砂の相互割合と、費用をそれぞれ算出する第２算出手段２４と；前記記憶手段２１からのデータの読取りと前記鋳物砂投入量計測手段２２からの情報の入力に基づき前記連続式混練機１における前記樹脂と前記硬化剤の相互割合と、費用をそれぞれ算出する第３算出手段２５と；前記第１〜第３算出手段２３〜２５による算出結果をそれぞれ表示する表示手段としてのディスプレイ２６と；によって構成してある。
【００１０】
そして、前記鋳物砂投入量計測手段２２は、前記ゲート式開閉装置８の開口状態の時間を測定するタイマ（図示せず）によって構成してある。
また、前記記憶手段２１と、前記第１算出手段２３、前記第２算出手段２４および前記第３算出手段２５はコンピュータ２７よって構成してある。
【００１１】
次に、このように構成した設備を用いて鋳物砂、樹脂および硬化剤を連続的に混練する作動について説明する。連続式混練機１のゲート式開閉装置８を所要時間開いてホッパ６内の鋳物砂を搬送装置７を介してトラフ４内に供給し、さらに、樹脂添加機構９と二組の硬化剤添加機構１０・１０のポンプをそれぞれ所要時間駆動して樹脂・硬化剤をトラフ４内に添加する。これにより、トラフ４内の鋳物砂、樹脂および硬化剤は混練される。
【００１２】
そして、図３に示すように、記憶手段からのデータの読取りと、タイマ、第１流量計１７および二組の第２流量計１８・１８からの情報の入力に基づき、コンピュータ２７においては、第１算出手段２３により鋳物砂に関する連続式混練機１への投入量と混練時間と投入量に基づく金額を、第２算出手段２４により樹脂に関する連続式混練機１への添加量と、添加量と鋳物砂の割合と、添加量に基づく金額を、そして、第３算出手段２５により硬化剤に関する連続式混練機１への添加量と、樹脂量との割合と、添加量に基づく金額をそれぞれ計量・算出した後、その結果をディスプレイ２６によって表示する。
【００１３】
さらに、コンピュータ２９は、毎日および／または毎月における前記鋳物砂・樹脂・硬化剤に関する使用量・添加量、費用および相互割合をついてそれぞれ計測・算出するようにしてもよい。
【図面の簡単な説明】
【００１４】
【図１】本発明の一実施例のブロック図である。
【図２】本発明を適用した連続式混練設備の模式図である。
【図３】本発明の一実施例のフローチャートである。
【符号の説明】
【００１５】
１７  第１流量計
１８  第２流量計  
２１  記憶手段
２２  鋳物砂投入量計測手段  
２３  第１算出手段
２４  第２算出手段
２５  第３算出手段
２６  ディスプレイ  
２７  コンピュータ
【図１】
2005125338.tif 000003
【図２】
2005125338.tif 000004
【図３】
2005125338.tif 000005